(57)【要約】【課題】            ルーバーの方立てや柱への取付は、両者を結ぶ係合部材を用いるが、ルーバーの傾きを調整し難く、又、係合部材が露出して見映えが悪い。【解決手段】        複数のビス挿通孔（１６）と突片（１４）とを有する取付部材（４）の方立て（６）に対する取付位置を変え、突片（１４）の方立て（６）に対する傾き角を選定する。この突片（１４）の開口部（２５）にルーバー（２）に挿入された中間部材（３）のピン部材（１７）を係合させ、ルーバー（２）を方立て（６）に保持させる。【選択図】          図１
2006249768.tif 000002
【特許請求の範囲】
【請求項１】
ルーバー、ルーバーの側端面開口に挿入される中間部材、中間部材に係合自在の突片を有する取付部材を備え、取付部材の基板に設けた複数のビス挿通孔の少なくとも二つのビス挿通孔にビスを通して取付部材を方立ての側面に固定させ突片の方立てに対する傾きを任意に選択可能とし、該突片を中間部材に係止させ方立ての傾きを制御自在としたことを特徴とするルーバー装置。
【請求項２】
方立てがその側面に化粧板を有し、取付部材の突片が化粧板を介して延在し、ビスが化粧板と基板のビス挿通孔を介して方立ての側面にねじ込まれる請求項１記載のルーバー装置。
【請求項３】
取付部材の基板が円形であり、ビス挿通孔が基板の周縁に沿って配されている請求項１又は２に記載のルーバー装置。
【請求項４】
中間部材が対の離間した対向側壁と側壁を結ぶ連結壁とからなる本体と、一方の連結壁に固定されたピン部材と、ピン部材に保持された板ばねとよりなり、取付部材の突片が板ばねと一方の連結壁との間に挿入され、ピン部材に係合される請求項３記載のルーバー装置。
【請求項５】
取付部材が、半円体と半円体の側縁の起立片とからなる半体２個からなり、起立片同士を貼り付けて構成したものである請求項４記載のルーバー装置。
【請求項６】
中間部材がカバー部材を有し、カバー部材がルーバーの側端と方立ての化粧板との間に配される請求項５記載のルーバー装置。
【請求項７】
ピン部材がボルトであり、カバー部材がボルトのヘッドを隠す請求項６記載のルーバー装置。
【発明の詳細な説明】
【技術分野】
【０００１】
本発明は、建築物の天井、外壁、外階段外周、屋上塔屋、空調設備周り等に用いられるルーバー装置に関する。
【背景技術】
【０００２】
ルーバー装置は、建物の美観を高める機能に加えて、通風や遮光性という機能も求められる。このため、ルーバーの形状、ルーバーの間隔、さらにはルーバーの傾きがルーバー装置にとって大切な要素となっている。
これらの要望を充足すべく、提案された一例が、特開２００３−３１４０１７号公報に開示される。この提案はルーバー、ルーバーの挿入口に挿入される係合部材、係合部材の係合溝に係合する係合条を有する取付部材からなり、取付部材を方立て（単に柱ともいう）に固定させるものである。
【０００３】
係合部材の係合溝と取付部材の係合条との係合位置を変えることで、方立てに対するルーバーの傾き角の選択を可能とさせている。ルーバーも所定の挿入口を備えるものであれば、外観形状を自由に変更できる利点を有す。
【０００４】
【特許文献１】特開２００３−３１４０１７号公報
【特許文献２】特開２００２−２８５６８７号公報
【発明の開示】
【発明が解決しようとする課題】
【０００５】
従来技術においては、取付部材と係合部材の一部とが方立てとルーバーとの間に露出することから、これらを隠すカバー部材を必要とするが、ルーバーの形状に応じたカバー部材を作る必要があり煩わしい。
さらに、ルーバーは複数枚並設させるが、一枚一枚の傾きを、係合溝と係合条との係合が正しくなされているか確認していくことから作業効率が悪く、時には、傾きを異にするルーバーが見られるという不具合が生じる。
【０００６】
又、別例では、ルーバーの傾きに応じたブラケットを用いることから多種のブラケットを揃えておく必要があり、部品管理に加えて作業を煩わしくしている。
【０００７】
それ故に、本発明は、前述した従来技術の不具合を解消させることを解決すべき課題とする。
【課題を解決するための手段】
【０００８】
本発明は、前述した課題を解決するために、基本的には、突片を有する取付部材の方立てへの取付位置を調整し、突片の方立てに対する傾きを任意選択可能とし、この突片にルーバーを組み合わせる手段を用いる。
【０００９】
本発明によれば、ルーバー、ルーバーの側端面開口に挿入される中間部材、中間部材に係合自在の突片を有する取付部材を備え、取付部材の基板に設けた複数のビス挿通孔の少なくとも二つのビス挿通孔にビスを通して取付部材を方立ての側面に固定させ突片の方立てに対する傾きを任意に選択可能とし、該突片を中間部材に係止させ方立ての傾きを制御自在としたことを特徴とするルーバー装置が提供される。
【００１０】
好ましくは、方立てがその側面に化粧板を有し、取付部材の突片が化粧板を介して延在し、ビスが化粧板と基板のビス挿通孔を介して方立ての側面にねじ込まれる。さらに、取付部材の基板が円形であり、ビス挿通孔が基板の周縁に沿って配されている。
【００１１】
より好ましくは、中間部材が対の離間した対向側壁と側壁を結ぶ連結壁とからなる本体と、一方の連結壁に固定されたピン部材と、ピン部材に保持された板ばねとよりなり、取付部材の突片が板ばねと一方の連結壁との間に挿入され、ピン部材に係合される。さらに、取付部材が、半円体と半円体の側縁の起立片とからなる半体２個からなり、起立片同士を貼り付けて構成したものである。又、中間部材がカバー部材を有し、カバー部材がルーバーの側端と方立ての化粧板との間に配される。
【発明の効果】
【００１２】
本発明によれば、ルーバーの角度を取付部材を用いて任意に選択でき、複数のルーバーの傾きを容易に同一とさせ得る。さらに、通気性を重視する場合、通気に必要なルーバー角度の選択ができる。
ルーバーの間隔は、取付部材の固定位置を予め工場で決めることで容易に選定できるので、施工は迅速且つ簡単である。
カバー部材の仕様は、取付ビスのヘッドを隠し、美観を高め、さらに、雨水等のルーバー内への浸入を防止する効果を奏す。
【発明を実施するための最良の形態】
【００１３】
図１を参照して本発明の最良の形態の説明をする。
ルーバー装置１は、ルーバー２、中間部材３、取付部材４を少なくとも備える。ルーバー２は、図６に示すように、舟のような断面の(イ)、菱形の断面の(ロ)、両端を半円とした断面の(ハ)、さらには矩形の断面の(ニ)のものを用いることができるが、その断面形状は問わない。
しかしながら、ルーバー２は側端面開口５を必要とする。開口５は対の離間する連結壁により画定する。
【００１４】
図２に示すように、ルーバー２が支持される方立て６は、金具７を介して建屋の躯体８に取り付けられる。金具７は対のコの字状ブロックよりなり、各ブロックは交差する長孔１０を有し、長孔１０を介してボルト９を通し、方立て６と躯体８との間の寸法を調整可能とさせる。
方立て６は断面口字状のもので、その両側面に取付部材４のベース板１１を収容する溝が設けられる。方立て６の両側面には化粧板１２が配される。図示例では、ルーバー２は方立て６の両側に配しているが、一方のみでも良い。金具７は躯体８に対向する方立て６の側面にボルト１３を用いて固定される。金具７は方立て６の上下方向に離間して複数個配される。
【００１５】
図５を参照して取付部材４を説明する。取付部材４は、円板を半体とした形の対のベース板１１と、ベース板１１の直線部より起立させた突片１４を有し、対の突片１４を両面テープ１５で接着することにより、図１に示す形状の取付部材４を形成する。
ベース板１１の周縁に複数個のビス挿通孔１６を穿孔する。さらに、ベース板１１に角度目盛りを刻み付け、その角度目盛りを使用することで所望するルーバー２の角度を自在に設定できる。
【００１６】
中間部材３は、対向側壁と、側壁を結ぶ連結壁とからなる本体と、連結壁に固定されたボルト又はピン部材１７とを有す。ピン部材１７が板ばね１８を連結壁に保持させる。
図３と図４に示すように、板ばね１８は取付部材３の連結壁に当接する折点１９と、ルーバー２の内壁に弾力的に当接する当接片２０と、ピン部材１７を通す孔２１とを有す。ピン部材１７の連結壁へのねじ込みにより、当接片２０はルーバー内壁面により強く接触し、中間部材３のルーバー２からの抜けを防止する。中間部材３の開口側であって、ルーバー２の側端と化粧板１２との間にはカバー部材２２が配され、ピン部材１７、即ちボルトのヘッドをカバー部材２２で隠す。これにより美観向上が可能となる。
【００１７】
方立て６を躯体８に支持させた後、化粧板１２の孔２３に取付部材４の突片１４を挿入し、突片１４の方立て６に対する傾きを調整する。化粧板１２の片を方立て６の溝に係合させて両者を固定関係とし、突片１４の方立て６に対する傾きを最終的に確認する。ビス２４を化粧板１２、挿通孔１６を介して方立て６の側壁にねじ込み、取付部材４を方立て６に固定させる。
ルーバー２に中間部材３、板ばね１８、ピン部材１７を図３と図４に示すようにセットし、突片１４の開口部２５をピン部材１７に通す。これによりルーバー２が方立て６に保持される。この作業は勿論ルーバー２の両端になされる。
【００１８】
ルーバー２を方立て６に対して固定させた後、カバー部材２２を中間部材３にスナップ止めさせる。勿論、他の手段によりカバー部材２２を中間部材３に固定してもよい。
ルーバー２の方立て６に対する傾き角を変えるには、カバー部材２２を外し中間部材３を一旦ルーバー２内に押し込み、ピン部材１７と取付部材４の突片１４との係合を解除する。次いで、ビス２４を外し、取付部材４の突片１４の方立て６に対する傾きを新しく調整し、再びビス２４を化粧板１２、挿通孔１６を介して方立て６にねじ込む。その後、中間部材３をルーバー２より抜き出し、突片１４の開口部２５にピン部材１７を係合させる。さらに、カバー部材２２を中間部材３にセットし、新たな傾きのルーバー２を得る。
【図面の簡単な説明】
【００１９】
【図１】本発明の一例のルーバー装置の分解斜視図である。
【図２】図１の例の平面図である。
【図３】ルーバー取付けの断面図である。
【図４】取付部材とルーバーの関係を示す断面図である。
【図５】取付部材の分解斜視図である。
【図６】(イ)乃至(ニ)は各種ルーバーの断面を示す図である。
【符号の説明】
【００２０】
２    ルーバー
３    中間部材
４    取付部材
５    側端面開口
６    方立て
７    金具
８    躯体
１０    長孔
１１    ベース板
１２    化粧板
１４    突片
１６    挿通孔
１７    ピン部材（ボルト）
１８    板ばね
２２    カバー部材
【図１】
2006249768.tif 000003
【図２】
2006249768.tif 000004
【図３】
2006249768.tif 000005
【図４】
2006249768.tif 000006
【図５】
2006249768.tif 000007
【図６】
2006249768.tif 000008